(57)【要約】【課題】少なくとも妻梁及び前桁の中に生じる結露水を、デッキ下方に滴下させることなく、地上に排水できるデッキの排水装置を提供する。【解決手段】妻梁３の中空部３ａのデッキ側部分に、その中空部内壁面に生じる結露を集合させる結露集合溝３ｇを設けるとともに、妻梁の下端部にデッキ側に突出する補助雨樋３ｅを設けて、結露集合溝３ｇを補助雨樋３ｅに連通させ、前桁の中空部７ａの下端部を前桁の長手方向端部において補助雨樋３ｅに連通させ、妻梁内及び前桁内から補助雨樋に流入した結露水を雨水誘導部材を介して地上に排水するようにした。【選択図】      図１１
2004225305.tif 000002
【特許請求の範囲】
【請求項１】
妻梁の中空部のデッキ側部分に、その中空部の内壁面に生じる結露を集合させる結露集合溝を設けるとともに、前記妻梁の下端部にデッキ側に突出する補助雨樋を設けて、前記結露集合溝を前記補助雨樋に連通させ、前桁の中空部の下端部を前桁の長手方向端部において前記補助雨樋に連通させ、妻梁内及び前桁内から前記補助雨樋に流入した結露水を雨水誘導部材を介して地上に排水するようにしたことを特徴とするバルコニーの排水装置。
【請求項２】
妻梁の結露集合溝を形成するデッキ側縦壁の下端部分をデッキと反対側に屈曲させて、その屈曲壁に前記結露集合溝を補助雨樋に連通させる孔を設け、前記妻梁のデッキ側縦壁に長手方向端面を当接して接続される前桁の中空部の下端部における前記長手方向端面と前記屈曲壁との間に間隙を形成し、その間隙において前記屈曲壁の孔及び前桁の中空部の下端部を前記補助雨樋に連通させたことを特徴とする請求項１に記載されたバルコニーの排水装置。
【請求項３】
前桁の中空部を形成する底壁をその長手方向端部付近において下方に切り起して係止片を形成するととともに前記前桁の中空部を下方に開口させる孔又は切欠を形成し、前記係止片は前桁を妻梁に接続する際に妻梁の補助雨樋に係止させて位置決め及び一時保持のために用い、前記孔又は切欠は前桁の中空部に生じた結露水を妻梁の補助雨樋に流入させるために用いることを特徴とする請求項１又は２に記載されたバルコニーの排水装置。
【請求項４】
デッキの間口方向端部を妻梁のデッキ内側面に設けられた雨樋に臨ませるとともに、前記デッキの前桁側端部を前桁のデッキ内側面に設けられた雨樋に臨ませて、デッキ上面の間口方向端部から流出する雨水を前記妻梁の雨樋に流入させるとともに、前記デッキ上面の前桁側端部から流出する雨水を前記前桁の雨樋に流入させ、さらに前記前桁の雨樋の長手方向端部に形成した切欠又は孔から前記妻梁の雨樋に合流させ、前記妻梁の雨樋に合流された雨水と、前記妻梁の補助雨樋に流入された結露水とを合流器に合流させ、合流器から雨水誘導部材を介して地上に排水することを特徴とする請求項１、２又は３に記載されたバルコニーの排水装置。
【発明の詳細な説明】
【０００１】
【発明の属する技術分野】
本発明は、妻梁、前桁などの強度が要求される部材がアルミニウム合金製の中空材であるバルコニーの排水装置に関する。
【０００２】
【従来の技術】
バルコニーの妻梁、前桁及び根太などの強度が要求される部材は、強度、成形容易性、軽量性及び外観性などにおいて優れているアルミニウム合金製中空材を用いるものが多い。反面、アルミニウム合金製中空材は熱伝導性が高いので、朝晩に外気温度が低下する、とくに春、夏、秋などに、中空部内に結露水が発生することがある。
【０００３】
建物躯体に突設されるバルコニーには、地上に立設された柱によりバルコニーの先端隅角部を支持する有柱タイプと、そのような柱を有しない無柱タイプの二種類があるが、いずれの場合も、デッキに降った雨水をデッキの下面から滴下させずに地上に誘導し排水するため、排水装置が備えられている。
【０００４】
バルコニーの排水装置には、デッキ上面の駆体側端部（後端部）から流出する雨水を根太掛けに設けた雨樋（後樋）又はデッキ上面の後端部に設けた雨樋（後樋）で受けた後、妻梁に設けた雨樋（側樋）に流下させ、デッキ上面の妻梁側端部（側端部）から流出する雨水を側樋で受け、デッキ上面の前桁側端部（前端部）から流出する雨水はデッキ上面の前端部に設けた雨樋（前樋）で受けて、その前樋から側樋に合流させ、側樋に結合した立て樋又は呼び樋と立て樋あるいは導水チェーン等の雨水誘導部材を介して地上に排水するもの（特許文献１参照）、駆体の側樋よりも一段低い位置に集合樋を設け、両側樋に集められた雨水をさらに集合樋に集めて雨水誘導部材を介して地上に排水するもの（特許文献２参照）が知られている。また、デッキ側端部から側樋に流下させた雨水を全て前桁に設けた前樋に集合させ、その前樋から雨水誘導部材を介して地上に排水するようにしたもの（特許文献３）も知られている。
【０００５】
【特許文献１】
特開昭５８−４０６１８号公報
【特許文献２】
特開平８−２０９８７０号公報
【特許文献３】
特開平１２−２７３８３号公報
【０００６】
そして、とくに無柱タイプのバルコニーは、デッキ上面、従ってまた妻梁が、根太掛け側よりも前桁側が若干高くなるように傾斜させて（これを以下、先上がりという。）設置されることがある。その理由は、経年変化又は劣化により前桁側が幾分低下するので、それを見込んで低下した時に水平になるように設計されるためである。もし、最初から水平に設置した場合は、経年変化又は劣化により妻梁の雨樋が根太掛け側よりも前桁側が低くなるように傾斜する（これを以下、先下がりという。）ことになる。
【０００７】
【発明が解決しようとする課題】
しかしながら、従来のデッキにおいては、各構成部材の中空部に生じる結露水に対して何等の排水手段も備えられていない。精々、妻梁の屋外側端部において中空部に樹脂製のキャップを嵌合する程度である。そして、キャップは水密性を備えていないから、従来のバルコニーにおいては、妻梁、前桁及び根太など中空部を有する金属部材の長手方向端部から結露水がバルコニーの下方に滴下することがあり、バルコニーの下に洗濯物を干したり、バルコニーの下で作業又は読書などをしている際にいろいろな不具合があった。
【０００８】
また、従来は、妻梁の雨樋、前桁の雨樋及び根太掛けの雨樋は、いずれもそれぞれ妻梁、前桁、根太掛けに一体成形されている。従って、最初に先上がりに設置されるバルコニーにおいては、（ａ）デッキ上面に降った雨の多くが根太掛けの雨樋に集合することとなるが、根太掛けの雨樋は通常細いので、雨水が溢れてデッキ下方に滴下する問題がある。また、（ｂ）妻梁の屋外側端部付近に立て樋を結合した場合は、降雨終了後も妻梁の雨樋に雨水が溜まって早期に完全排水されない。そのため、妻梁の雨樋の端部の水密性が良くないと、妻梁の躯体側端部から漏水が生じ易い。そして、経年変化等によりデッキが水平になった時は、デッキ上面及び妻梁の雨樋の排水性が低下する。
また、立て樋が妻梁の躯体側端部に結合されているデッキが水平に設置された場合は、経年変化又は劣化により妻梁の雨樋が先下がり状態になった後は、妻梁の雨樋の前桁側部分に雨水が溜まって、同様に排水性が低下し、妻梁の前桁側端部から漏水又は滴下する等の問題がある。
【０００９】
本発明は、上記事情に鑑みてなされたものであり、第一の課題は、少なくとも妻梁及び前桁の中に生じる結露水を、デッキ下方に滴下させることなく、雨水誘導部材を介して地上に排水できるデッキの排水装置を提供することにある。
第二の課題は、少なくとも妻梁及び前桁の中に生じる結露水を、妻梁及び前桁に対する最少限の加工により排水できるようすることにある。
第三の課題は、少なくとも妻梁及び前桁の中に生じる結露水を、デッキ上面に降った雨水と合流させて、最少限の樋部材を介して排水できるようにすることにある。
【００１０】
【課題を解決するための手段】
上記課題を解決するため、請求項１の本発明によるデッキの排水装置は、妻梁の中空部のデッキ側部分に、その中空部内壁面に生じる結露を集合させる結露集合溝を設けるとともに、妻梁の下端部にデッキ側に突出する補助雨樋を設けて、前記結露集合溝を前記補助雨樋に連通させ、前桁の中空部の下端部を前桁の長手方向端部において前記補助雨樋に連通させ、妻梁内及び前桁内から前記補助雨樋に流入した結露水を雨水誘導部材を介して地上に排水するようにしたことを特徴としている。
上記構成により、妻梁の中空部内壁面に生じた結露水は結露集合溝に集合し、補助雨樋に流出する。前桁の中空部の内壁面に生じた結露水は、その中空部の下端部を前桁の長手方向端部に流れ、その端部から補助雨樋に流出する。補助雨樋に流出した結露水は雨水誘導部材を介して地上に排水される。従って、妻梁又は前桁の端部から結露水が滴下することが防止される。
【００１１】
また、請求項２の本発明によるデッキの排水装置は、妻梁の結露集合溝を形成するデッキ側縦壁の下端部分をデッキと反対側に屈曲させて、その屈曲壁に前記結露集合溝を補助雨樋に連通させる孔を設け、前記妻梁のデッキ側縦壁に長手方向端面を当接して接続される前桁の中空部の下端部における前記長手方向端面と前記屈曲壁との間に間隙を形成させ、その間隙において屈曲壁の孔及び前桁の中空部の下端部を前記補助雨樋に連通させたことを特徴としている。
上記構成により、妻梁の結露集合溝は孔により妻梁の屈曲壁により形成された間隙に連通し、長手方向端面を妻梁のデッキ側面に当接して接続された前桁の中空部の下端部が妻梁の屈曲壁により形成された間隙に臨む。その間隙は補助雨樋に連なっている。従って、妻梁の中空部の内壁面及び前桁の中空部の内壁面に生じた結露水は、ともに補助雨樋に集合する。妻梁の屈曲壁に孔を設けるだけの最少限の加工で良い。
【００１２】
前桁の中空部を形成する底壁をその長手方向端部付近において下方に切り起して係止片を形成するととともに、前桁の中空部を下方に開口させる孔又は切欠を形成し、前記係止片は前桁を妻梁に接続する際に妻梁の補助雨樋に係止させて位置決め及び一時保持のために用い、前記孔又は切欠は前桁の中空部に生じた結露水を妻梁の補助雨樋に流入させるために用いるようにした場合は、前桁と妻梁との接続作業を安定して迅速に行うことができ、また、前桁の中空部に生じた結露水の補助雨樋への排水性が向上する。
【００１３】
妻梁のデッキ内側面に設けられた雨樋にデッキの間口方向端部を臨ませるとともに、前記デッキの前桁側端部を前桁のデッキ内側面に設けられた雨樋に臨ませて、デッキ上面の間口方向端部から流出する雨水を前記妻梁の雨樋（以下、妻雨樋という。）に流入させるとともに、前記デッキ上面の前桁側端部から流出する雨水を前記前桁の雨樋（以下、前雨樋という。）に流入させ、前記前雨樋の長手方向端部に形成した切欠又は孔から前記妻雨樋に合流させ、前記妻雨樋に合流された雨水と、前記妻梁の補助雨樋に流入された結露水とを合流器に合流させ、合流器から雨水誘導部材を介して地上に排水するようにした場合は、デッキ上面に降った雨と、少なくとも妻梁及び前桁の中に生じた結露水を共通の雨樋を経て排水することができ、樋部材の増加による美観低下を防止できる。
【００１４】
【発明の実施の形態】
次に、本発明の実施の形態について、図面に基づいて説明する。
図１ないし図１０は、バルコニーの構成部材を設置工程順に沿って説明するためのものであり、図１は躯体に対する先付金具の取付け状態を示す斜視図、図２は先付金具を用いて妻梁を取付ける工程を説明する斜視図、図３は取付けられた妻梁の基端の間に根太掛けを取付ける工程を説明する斜視図、図４は妻梁に対する根太掛けの位置決め構造を示す要部の断面図、図５は妻梁と根太掛けの端部同士の位置関係を説明する斜視図、図６は妻梁の先端の間に前桁を取付ける工程を説明する斜視図、図７は前桁の形状・構造を示す斜視図、図８は前桁の断面図、図９は妻梁に対する前桁の取付時の移動方向及び位置関係を示す断面図、図１０は妻雨樋の形状及び構造を一部破断して示す斜視図である。
図１１は本発明による排水装置を備えたバルコニーの要部の断面図、図１２は図１１のＸ−Ｘ線断面図、図１３は図１１のＹ−Ｙ線断面図、図１４は図１１のＺ−Ｚ線断面図、図１５は妻雨樋に対する合流器の取付けを説明する斜視図である。
【００１５】
［バルコニーの構成］
まず、バルコニーの設置順序に従って、各構成部材について説明する。
図１に示すように、躯体１に屋外方向に突出する左右２本の先付金具２をバルコニーの間口寸法に対応する間隔を持って固着板２ａにおいてねじ止めにより固定する。この場合、先付金具２は、バルコニーが先上がり状態に設置されるか、水平状態に設置されるか、先下がりに設置されるかに応じて、先上がり、水平又は先下がりに固定される。
【００１６】
次に、図２に右側の先付金具２についてのみ示すように、各先付金具２を妻梁３の中に挿入し、ねじｓ１をねじ込むことにより、妻梁３が躯体に固定される。さらに詳述すると、妻梁３は主体が角筒状に形成されて中空部３ａを有しており、各先付金具２を妻梁３の躯体側端面が先付金具２の固着板２ａに当接するまで妻梁３の中空部３ａに入れ子式に挿入し、妻梁３の中空部３ａを形成する内壁３ｂに設けてあるねじ挿通孔３ｃにねじｓ１を挿通し、先付金具２にねじ込むことにより固定する。固定後、ねじ挿通孔３ｃに雨水が浸入するのを防ぐため、孔塞ぎシール４が貼付けられる。妻梁３の内壁３ｂの下端部には口述される補助雨樋３ｅが一体に突設されている。
【００１７】
続いて、図３に示すように、躯体１に固定された左右の妻梁３の躯体側端部  （これを基端ということがある。）の間に根太掛け５が嵌合され、コーチスクリュー等のねじｓ２により躯体１に固定される。この場合、図２，３，４に示すように、妻梁３の内壁３ｂの躯体側端部を水平に切り起して矩形の係止片３ｄが形成してあり、また、図３，４に示すように、根太掛け５は、躯体に密着される垂直壁５ａと、その垂直壁５ａの上端部から屋外方向にほぼ水平に延びて、後述されるデッキ上面の躯体側端部を被覆するカバー部５ｂと、垂直壁５ａの下端部から屋外方向に段状に延びる根太受け５ｃとを有して、全体として断面ほぼコ字形に形成されているので、根太受け５ｃを左右の妻梁の係止片３ｄに載せて、容易に根太掛け５を水平状態に保持できるようにしてあり、水平に保持した状態でねじｓ２を正確な位置に容易にねじ込むことが可能とされている。
【００１８】
妻梁３と根太掛け５が躯体１に固定された後、図５に示すように、妻梁３と根太掛け５の上端部と躯体の壁面との間にコーキング材６を充填するなどのシール処理が施される。
【００１９】
根太掛け５の取付け後は、図６に示すように、左右の妻梁３の屋外側端部（これを先端ということがある。）の間に前桁７を、その長手方向端面を妻梁３の先端側の対向面、すなわち、内壁３ｂに当接した状態で連結する。さらに詳述すると、前桁７は、図７にも示すように、主体が角筒状に形成されて中空部７ａを有し、その中空部を形成する内壁７ｂの上部に上面に開放され、かつ、長手方向に開口する前雨樋７ｃが一体に形成され、また、内壁７ｂの下部に根太受け７ｄが形成されている。
【００２０】
そして、図６に示すように内壁７ｂを躯体側に向け、図７に示すように、Ｌ字形の前桁取付け用ブラケット８の一辺８ａを中空部７ａの端部に挿入し、そのブラケットの他辺８ｂを中空部７ａの開口面に位置させた状態（図６参照）でねじｓ３により内壁７ｂに固着し、その前桁７を図６に示すように、妻梁３の先端部の間に上方から降下して嵌合し、妻梁３の内壁３ｂの下部に突設されている補助雨樋３ｅの上に載置する。
この時、図８に示すように、前桁７の中空部７ａ形成している下壁７ｅの長手方向端部を下方に切り起して係止片７ｆが形成してあるので、図９に示すように、前桁７を降下させる際に、係止片７ｆを妻梁３の補助雨樋３ｅの中に嵌合係止させることにより、前桁７を妻梁３に連結する前に左右両側の妻梁３の間の正確な位置に安定して保持することができる。
【００２１】
図６に示すように、前桁７の長手方向端面及びその端面に位置されたブラケット８の他辺８ｂを妻梁３の先端の対向面、すなわち内壁３ｂに当接させ、他辺８ｂ及び内壁３ｂに設けてある孔を合致させ、妻梁３の中空部３ａからねじｓ４を内壁の孔に貫通し、ブラケット８の他辺８ｂのねじ孔にねじ込むことにより、前桁７が両妻梁３に連結される。
【００２２】
なお、その連結前に前桁７の長手方向両端面にはシーリング材１１が貼付けられて、連結された状態では妻梁３と前桁７の当接面に高い水密性が得られている。また、各妻梁３の先端面にもシーリング材１１が貼付けられた後、妻梁３の中空部３ａに妻梁キャップ９が嵌着されて、妻梁の中空部３ａの先端が密閉されて、高い水密性が得られている。
【００２３】
上記のようにして、躯体１の屋外側面に左右の妻梁３と根太掛け５と前桁７とが矩形枠状に連結された後、両妻梁３の対向面、すなわち内壁３ｂ面に、図１０及び図１１に示すように、妻梁３とは別体に成形された妻雨樋１２が、躯体側よりも前桁側が低くなるように、すなわち、先下がり状態で取付けられる。
【００２４】
妻雨樋１２は、図１０，１２，１３，１４に示すように、外縦壁１２ａと、その外縦壁の下端部から所要の幅をもって水平内側に延びる底壁１２ｂと、その底壁の内側端部においてその上下方向に延びる内縦壁１２ｃを有し、外縦壁１２ａは内縦壁１２ｃよりも高い位置まで起立している。そして、外縦壁１２ａと底壁１２ｂと内縦壁１２ｃの底壁よりも上側部分とによって上方に開放され、かつ、妻雨樋の長手方向に開口する溝１２ｄが形成されている。さらに、外縦壁１２ａの上端部と、内縦壁１２ｃの上下両端部に水平内側に延出する支持縁１０ｅ；１０ｆ，１２ｇが設けられている。また、溝１２ｄを形成する外縦壁１２ａと内縦壁１２ｃにはビスホール１２ｈ，１２ｉが設けられている。
【００２５】
妻雨樋１２を先下がり状態で取付けることを容易にするための一つの方法として、妻梁３の補助雨樋３ｅの上面から根太掛け５の根太受け５ｄの上面までの高さは、妻梁３の補助雨樋３ｅの上面から前桁７の根太受け７ｄの上面までの高さよりも大きくなるように設計されている。
そして、矩形枠状に連結した後の根太掛け５ｄと前桁７の間に妻雨樋１２が掛け渡され、その妻雨樋の外縦壁１２ａを妻梁３の内壁３ｂに当接し、かつ、妻雨樋１２の長手方向両端部における内縦壁１２ｃの下側の支持縁１０ｇを根太掛け５の根太受け５ｄと前桁７の根太受け７ｄとに載置して、それらの根太受け５ｄ，７ｄの下側からこれらにねじ込まれるねじｓ５により、妻雨樋の両端部が固定されている。従って、妻雨樋１２は先下がり状態に取付けられる。
【００２６】
この場合、図１０に示すように、妻雨樋１２の長手方向両端部には、二つの形状及び寸法が同一の妻雨樋小口塞ぎ１３ａ，１３ｂが、ビスホール１２ｈ，１２ｉにねじ込まれるねじｓ６により取付けられている。妻雨樋小口塞ぎ１３ａ，１３ｂは、矩形の板１３で形成されており、その高さが溝１２ｄの深さ、すなわち、底壁１２ｂから支持縁１０ｆまでの距離よりも若干大きくされている。
そして、妻雨樋１２の躯体側端部に取付けられる妻雨樋小口塞ぎ１３ａは、図１０及び図１２に示すように、その下辺を底壁１２ｂに一致させて取付けられて、妻雨樋の溝１２ｄの長手方向端部を密閉しているとともに、妻雨樋小口塞ぎ１３ａの上端部が支持縁１０ｆよりも上方に突出されている。また、妻雨樋１２の前桁側端部に取付けられる妻雨樋小口塞ぎ１３ｂは、図１０及び図１３に示すように、その上辺を支持縁１０ｆと一致させて取付けられ、妻雨樋の溝１２ｄの長手方向端部を密閉している。
【００２７】
上記妻雨樋１２が妻梁３の内側面に当接して根太掛け５と前桁７の間に掛け渡され、支持縁１２ｇにおいてねじｓ５により固定されると、支持縁１２ｆはこれにデッキ材１４のデッキ間口方向端部を載置して支持するために用いられる。
【００２８】
次に、根太掛け５と前桁７の長手方向中間位置において、根太掛け５及び前桁７に直角な方向に長い複数本の既知の根太１３が所要の間隔をおいて妻梁３と平行に掛け渡されて、固定される。根太１３は妻雨樋１２の内縦壁１２ｃの高さと等しい高さを有し、その長手方向両端部をそれぞれ根太掛け５の根太受け５ｄ及び前桁７の根太受け７ｄに載せ、ねじｓ５と同様のねじにより固定される。従って、妻雨樋１２の支持縁１２ｆの上面と各根太１３の上面はすべて一つの共通の先下がり傾斜面上に存在する。
【００２９】
そして、上記共通の傾斜面上に既知のデッキ材１４が次のようにして躯体側から前桁側の方向に順次取付けられる。すなわち、最初のデッキ材を根太１３及び妻雨樋１２の支持縁１２ｆの上に置き、躯体１方向に摺動する。この時、図１１に示すように、妻雨樋１２の躯体側端部に支持縁１２ｆよりも上方に突出する妻雨樋小口塞ぎ１３ａが設けてあるので、摺動されるデッキ材はこの妻雨樋小口塞ぎ１３ａに止められる。すなわち、妻雨樋小口塞ぎ１３ａはデッキ材設置のスタータとして機能し、最初のデッキ材を躯体方向に摺動するだけで、デッキ材が正確に位置決めされ、後続の他のデッキ材を順次根太１３及び妻雨樋１２の支持縁１２ｆの上に載置し、躯体１方向に摺動するだけで、簡単迅速にすべてのデッキ材を設計通り所定の位置に位置決めし、各デッキ材の間から挿入されるねじｓ６を根太１３に予め開けてあるねじ孔にねじ込んでデッキ材１４を円滑に固定することができる。
【００３０】
そして、最初のデッキ材の躯体側端部は根太掛け５のカバー部５ｂにより被覆される（図１１参照）。また、各デッキ材１４のデッキ間口方向端部は、上述されたように支持縁１２ｆに載置されて、妻雨樋１２の溝１２ｄに臨ませてあり、デッキ材のデッキ間口方向端部及び溝１２ｄは、妻雨樋１２の外縦壁１２ａの上端部に形成されている支持縁１２ｅに化粧ねじｓ７によりデッキカバー１５を固着することにより被覆される（図１２及び図１３参照）。さらに、最後のデッキ材の屋外側端部は、前桁７の前雨樋７ｃに臨ませてある。
【００３１】
［排水装置の構成］
上記バルコニーには、次に述べるような排水装置が備えられている。すなわち、デッキ上面のデッキ間口方向両端部は妻雨樋１２の溝１２ｄに臨んでおり、妻雨樋の溝１２ｄの躯体側端部及び屋外側端部は妻雨樋小口塞ぎ１３ａと１３ｂにより密閉されている。そして、妻雨樋１２の屋外側端部付近において、溝１２ｄの底に雨水落下用の孔１２ｊが設けられ、その孔に雨水落下筒１６の上端部が結合されている。従って、デッキの間口方向両端部から流出する雨水は、先下がりの妻雨樋１２の中をその屋外側端部方向に流れ、雨水落下孔１２ｊから雨水落下筒１６に流下する。
【００３２】
一方、デッキ上面の屋外側端部は前桁７の前雨樋７ｃに臨んでおり（図１１参照）、図７及び図９に示すように、その前雨樋７ｃの長手方向の少なくとも一端部が妻雨樋の溝１２ｄの幅を越えない長さに渡って切除されて、雨水落下用の孔７ｅが形成されている。そして、前雨樋７ｃの底は、妻雨樋の支持縁１２ｆよりも若干高い位置に存在するので（図１１及び図１３参照）、デッキ上面から前雨樋７ｃに流入した雨水は孔７ｅから妻雨樋１２の溝１２ｄに流下して、デッキの間口方向端部から流入した雨水と合流し、雨水落下孔１２ｊから雨水落下筒１６に流下する。雨水落下筒１６に流下した雨水は、図１１に例示するように、合流器１６ａの中に落下する。
【００３３】
妻梁３の中空部３ａの底壁３ｆは、デッキ側に向けて下り傾斜され、そのデッキ側部分に結露集合溝３ｇが形成されていて、中空部３ａの内壁面に生ずる結露水は結露集合溝３ｇに集合するようになっている。前記補助雨樋３ｅは底壁３ｆのデッキ側端部から下側においてデッキ側に突設されていて、妻梁３の内縦壁３ａの下端部にデッキと反対方向に窪む屈曲壁３ｈが形成され、その屈曲壁の外側に間隙３ｉが形成され、屈曲壁３ｈの長手方向に間隔を置いた複数箇所に結露集合溝３ｇを補助雨樋３ｅに連通する孔３ｊが形成されている。従って、結露集合溝３ｇに溜まった結露水は、その孔３ｊを通って補助雨樋３ｅに流出するようになっている。
【００３４】
前桁７は、その長手方向端面を妻梁の内縦壁３ｂに当接して接続されるが、その前桁７の長手方向端面の下端部は前記間隙３ｉに臨ませられる。そのため、前桁の中空部７ａの下端部がその間隙３ｉを経て補助雨樋３ｅに連通している。また、上述のように、係止片７ｆが補助雨樋３ｅの中に係合されているので、その係止片に隣接する孔７ｇも補助雨樋３ｅに連通している。従って、前桁７の中空部内壁面に生じる結露水も、孔７ｇ及び間隙３ｉを経て、補助雨樋３ｅに流出するようになっている。
なお、補助雨樋３ｅの長手方向両端部には水密性小口部材９´により密閉されている。
【００３５】
合流器１６ａは、正面Ｌ字形の筒状に形成され、Ｌ字の垂直部の上面、水平部の上面及び下面に開口している。そして、水平部の上面開口を補助雨樋３ｅの底部に形成してある孔にパッキン１６ｂを介して合致させた状態でねじｓ８により結合され、垂直部の上面開口に雨水落下筒１６の下端部が挿入してある。こうして、妻雨樋１２から雨水落下筒１６を介して流下する雨水と、妻梁３及び前桁７の中に発生し補助雨樋３ｅに流出した結露水は、合流器１５ｂに合流される。
そして、合流器１６ａの下端部は、エルボ１７ａ、呼び樋１８、もう一つのエルボ１７ｂを介して立て樋１９に結合されているので、従来と同様に躯体付近を流下され、地上に排水される。
【００３６】
図１１は、無柱タイプのバルコニーの場合を例示しているので、前桁７付近に設けられた雨水落下筒１６から地上に排水するには、雨水落下筒１６をエルボ１７ａ、呼び樋１８及びエルボ１７ｂを介して躯体付近に設けられた立て樋１９に結合することが、外観上も障害防止のためにも望ましいが、無柱タイプのバルコニーの場合でも、また、有柱タイプのバルコニーの場合は特に、雨水落下筒１６の下端部を、その下方に垂直に設けられた、又は柱に近接して設けられた立て樋あるいは導水チェーンに結合しても良い。
【００３７】
また、図１１はデッキ上面が先下がりの場合を例示しているが、先上がりのデッキにおいても、妻雨樋は先下がりに取付けられているので、良好な排水性が得られることはいうまでもない。
【００３８】
上記のように、妻雨樋１２は妻梁３と別体に形成されているので、バルコニーが、先上がり、水平又は先下がりのいずれの場合にも、妻雨樋を先下がりに妻梁に取付けることが可能であり、従って、経年変化などによりバルコニーの設置角度が変化しても、常にデッキ上面に降った雨を妻雨樋の屋外側端部方向に流させて、その屋外側端部付近から地上に排水することができ、降雨量が多い時でも妻梁の躯体側端部から溢水することを確実に防ぐことができる。しかし、本発明は、妻梁の雨樋は妻梁と一体に成形された形態のものにも適用可能である。
また、補助雨樋の深さを適切に設定すれば、雨水落下筒１６、孔３ｉ及び合流器１６ａは、妻梁の長手方向の任意の位置に設けても、補助雨樋からの漏水の恐れはない。
【００３９】
【発明の効果】
上述のように、請求項１の発明によれば、妻梁の中空部のデッキ側部分に中空部内壁面に生じる結露を集合させる結露集合溝を設けるとともに妻梁の下端部にデッキ側に突出する補助雨樋を設けて結露集合溝を補助雨樋に連通させ、他方、前桁の中空部の下端部を前桁の長手方向端部において補助雨樋に連通させて、妻梁内及び前桁内から補助雨樋に流入した結露水を雨水誘導部材を介して地上に排水するようにしたので、少なくとも妻梁及び前桁の中に生じる結露水を、妻梁又は前桁の端部から滴下させることなく地上に排水することができる。
【００４０】
また、請求項２の発明によれば、妻梁のデッキ側縦壁の下端部分にデッキと反対側に屈曲形成した屈曲壁に結露集合溝を補助雨樋に連通させる孔を設け、前記デッキ側縦壁に長手方向端面を当接して接続される前桁の中空部の下端部における前記長手方向端面と屈曲壁との間に間隙を形成させ、その間隙において屈曲壁の孔及び前桁の中空部の下端部を補助雨樋に連通させたので、妻梁の中空部の内壁面及び前桁の中空部の内壁面に生じた結露水をともに補助雨樋に集合させる場合に、妻梁の屈曲壁に孔を設けるだけ良いから、加工数の削減を図ることができる。
【００４１】
さらに、請求項３の発明によれば、前桁の中空部を形成する底壁において係止片を形成するととともに、前桁の中空部を下方に開口させる孔又は切欠を形成し、係止片は前桁を妻梁に接続する際に妻梁の補助雨樋に係止させて位置決め及び一時保持のために用い、前記孔又は切欠は前桁の中空部に生じた結露水を妻梁の補助雨樋に流入させるために用いるようにしたので、前桁と妻梁との接続作業を安定して迅速に行うことができ、また、前桁の中空部に生じた結露水の補助雨樋への排水性が向上する。
【００４２】
そして、デッキの間口方向端部を妻梁の雨樋に臨ませるとともに、デッキの前桁側端部を前桁の雨樋に臨ませてデッキ上面の間口方向端部から流出する雨水を妻梁の雨樋に流入させるとともに、デッキ上面の前桁側端部から流出する雨水を前記前桁の雨樋に流入させ、前記前桁の雨樋の長手方向端部に形成した切欠又は孔から前記妻梁の雨樋に合流させ、前記妻梁の雨樋に合流された雨水と、前記妻梁の補助雨樋に流入された結露水とを合流器に合流させ、その合流器から雨水誘導部材を介して地上に排水するようにしたので、デッキ上面に降った雨と、少なくとも妻梁及び前桁の中に生じた結露水を共通の雨樋を経て排水することができるから、結露水の排水機能を備えてもバルコニーの美観を損なうことがない。
【図面の簡単な説明】
【図１】躯体に対する先付金具の取付け状態を示す斜視図。
【図２】先付金具を用いて妻梁を取付ける工程を説明する斜視図。
【図３】取付けられた妻梁の基端の間に根太掛けを取付ける工程を説明する斜視図。
【図４】妻梁に対する根太掛けの位置決め構造を示す要部の断面図。
【図５】妻梁と根太掛けの端部同士の位置関係を説明する斜視図。
【図６】妻梁の先端の間に前桁を取付ける工程を説明する斜視図。
【図７】前桁の構造を示す斜視図。
【図８】図８は前桁の断面図。
【図９】妻梁に対する前桁の取付位置関係を示す断面図。
【図１０】妻雨樋の形状及び構造を一部破断して示す斜視図。
【図１１】本発明による排水装置を備えたバルコニーの要部の断面図。
【図１２】図１１のＸ−Ｘ線断面図。
【図１３】図１１のＹ−Ｙ線断面図。
【図１４】図１１のＺ−Ｚ線に沿った拡大断面図。
【図１５】妻雨樋に対する落下筒及び合流器の取付けを説明する斜視図。
【図１】
2004225305.tif 000003
【図２】
2004225305.tif 000004
【図３】
2004225305.tif 000005
【図４】
2004225305.tif 000006
【図５】
2004225305.tif 000007
【図６】
2004225305.tif 000008
【図７】
2004225305.tif 000009
【図８】
2004225305.tif 000010
【図９】
2004225305.tif 000011
【図１０】
2004225305.tif 000012
【図１１】
2004225305.tif 000013
【図１２】
2004225305.tif 000014
【図１３】
2004225305.tif 000015
【図１４】
2004225305.tif 000016
【図１５】
2004225305.tif 000017